(57)【要約】  【課題】家電製品のメーカごとのリモコンコードを自動取得して、家屋内の複数の家電製品を一つのリモコンで遠隔操作する。  【解決手段】携帯電話機１が、インターネットを介してサイトより操作対象となる家電メーカのリモコンコードを取得する。さらに、携帯電話機１は、取得したリモコンコードに対応するコマンドを電波無線信号ＲＦによってリモコンステーション４へ送信する。次に、リモコンステーション４は、取得コマンドを解読し、赤外線信号ＩＲに変換したコマンドをテレビ５へ送信する。これにより、テレビ５は、受信コマンドに対応して電源をＯＮしたり、所望のチャンネルに切り替えたりする。携帯電話機１が別のリモコンコードを取得してリモコンステーション４に送信すれば、リモコンコードに対応するエアコン６を遠隔操作する。【選択図】  図１
2007116484.tif 000002
【特許請求の範囲】
【請求項１】
遠隔操作の対象となる電気機器ごとのメーカのリモートコントローラＩＤが記録されたリモコンコードを用いて、対応する電気機器を遠隔操作するリモートコントロールシステムであって、
ネットワークを介してサイトから前記リモコンコードを取得し、該リモコンコードに対応したコマンドを送信する端末機器と、
前記端末機器から前記コマンドを受信し、該コマンドを前記電気機器へ送信して所望の電気機器を遠隔操作するリモコンステーションと、
を備えることを特徴とするリモートコントロールシステム。
【請求項２】
上記端末機器は、携帯電話機又はパーソナルコンピュータ又は単独でネットワークを介してサイトから前記リモコンコードを取得することができる装置の何れかであることを特徴とする請求項１記載のリモートコントロールシステム。
【請求項３】
上記端末機器は、上記パーソナルコンピュータと該パーソナルコンピュータを遠隔操作するＰＣリモコンとの組合せであることを特徴とする請求項１記載のリモートコントロールシステム。
【請求項４】
上記携帯電話機、上記パーソナルコンピュータ、又は上記ＰＣリモコンと上記リモコンステーションとの間の通信、及び該パーソナルコンピュータと該ＰＣリモコンとの間の通信は電波無線通信によって行われ、
上記リモコンステーションと上記電気機器との間の通信は赤外線通信によって行われることを特徴とする請求項２又は３記載のリモートコントロールシステム。
【請求項５】
上記携帯電話機、上記パーソナルコンピュータ、又は上記ＰＣリモコンと上記リモコンステーションとの間の通信、及び該パーソナルコンピュータと該ＰＣリモコンとの間の通信は電波無線通信によって行われ、
上記リモコンステーションと上記電気機器との間の通信はブルートゥースによって行われる
ことを特徴とする請求項２又は３記載のリモートコントロールシステム。
【請求項６】
遠隔操作の対象となる電気機器ごとのメーカのリモートコントローラＩＤが記録されたリモコンコードを用いて、対応する電気機器を遠隔操作する電気機器の遠隔操作方法であって、
端末機器がネットワークを介してサイトから前記リモコンコードを取得する手順と、
前記端末機器が、前記リモコンコードに対応したコマンドを電波無線信号によってリモコンステーションへ送信する手順と、
前記リモコンステーションが、前記コマンドを赤外線信号によって前記電気機器へ送信して所望の電気機器を遠隔操作する手順と、
を含むことを特徴とする電気機器の遠隔操作方法。
【発明の詳細な説明】
【技術分野】
【０００１】
本発明は、リモートコントローラ（以下、リモコンという）によって家電製品などの電気機器を遠隔操作するリモートコントロールシステム（以下、リモコンシステム）及び電気機器の遠隔操作方法に関し、特に、複数種類の電気機器の遠隔操作に対応できるリモコンシステム及び家電製品の遠隔操作方法に関する。
【背景技術】
【０００２】
従来、家電製品を遠隔操作するためのユーザインタフェースとしてリモコンが広く使われている。通常、このようなリモコンは、それぞれの家電製品ごとに対応した専用のリモコンが必要である。したがって、一般の家庭では、一つの部屋の中にテレビジョン（以下、テレビという）、エアーコンディショナ（以下、エアコンという）、ステレオなどの複数の家電製品が設置されているので、一つの部屋の中に複数個のリモコンが存在することがある。そのため、ユーザは、家電製品ごとにリモコンを使い分ける不便さを強いられている。
【０００３】
このような不便さを解決するために、一つのリモコンで複数の家電製品に対応することができるユニバーサルリモコンが市販されている。このようなユニバーサルリモコンは、あらかじめ、操作対象となる家電製品のメーカのリモコンＩＤが記録されたコード（以下、リモコンコードという）を設定してからその家電製品の遠隔操作を行う必要がある。
【０００４】
また、リモコン機能を備えて録画予約を行うことができる携帯電話機も知られている。この技術によれば、携帯電話機のリモコン機能を用いて、録画機器（ビデオ）に対して複数のテレビ番組をまとめて録画予約することができる。（例えば、特許文献１参照）。さらに、希望するチャンネルを速やかに選択して切り替えることができるリモコン機能付きの携帯電話機も知られている。この技術によれば、携帯電話機のリモコン機能が起動されると、選択されたチャンネル情報が赤外線データとしてテレビに送信され、ユーザが希望するチャンネルに切り替えられる（例えば、特許文献２参照）。
【特許文献１】特開２００５−１９７８４０号公報
【特許文献２】特開２００５−１５０８３１号公報
【発明の開示】
【発明が解決しようとする課題】
【０００５】
しかしながら、上記のユニバーサルリモコンは、遠隔操作を行う度に操作対象となる家電製品のメーカごとのリモコンコードを設定しなくてはならないので、リモコンとしての使い勝手が極めて悪い。また、上記の特許文献１に開示されたリモコン機能付きの携帯電話機においても、あらかじめ決められた機種のテレビに登録されたテレビ番組しか予約することができない。このため、テレビの機種が異なると、その都度テレビ番組を登録し直さなければならず、使い勝手がよくない。さらに、上記の特許文献２に開示されたリモコン機能付きの携帯電話機においても、あらかじめ決められた機種のテレビのチャンネルしか切り替えることができないので、使い勝手が制限されてしまう。
【０００６】
そこで、家電製品のメーカごとのリモコンコードを自動取得して、家屋内の複数の家電製品を一つのリモコンで遠隔操作することができるようにするために解決すべき技術的課題が生じてくるのであり、本発明はその課題を解決することを目的とするものである。
【課題を解決するための手段】
【０００７】
本発明は上記目的を達成するために提案されたものであり、請求項１記載の発明は、遠隔操作の対象となる電気機器ごとのメーカのリモコンＩＤが記録されたリモコンコードを用いて、対応する電気機器を遠隔操作するリモコンシステムであって、ネットワークを介してサイトからリモコンコードを取得し、そのリモコンコードに対応したコマンドを送信する端末機器と、端末機器からコマンドを受信し、そのコマンドを電気機器へ送信して所望の電気機器を遠隔操作するリモコンステーションとを備えるリモコンシステムを提供する。
【０００８】
この構成によれば、端末機器が、インターネットなどのネットワークを介して、ウェブサイトから電気機器のメーカごとのリモコンコードをダウンロードし、そのリモコンコードに対応したコマンドをリモコンステーションへ送信する。すると、リモコンステーションは受信したコマンドを電気機器へ送信して所望の電気機器の遠隔操作を行う。これによって、リモコンステーションはメーカごとのリモコンコード（遠隔操作用コード）に対応した電気機器を遠隔操作することができる。したがって、例えば、家屋内に１個設置されているリモコンステーションによって、その家屋に置かれている複数の電気機器、例えば、テレビ、エアコン、ステレオなどを個別に遠隔操作することが可能となる。
【０００９】
請求項２記載の発明は、請求項１記載の発明において、端末機器が携帯電話機又はパーソナルコンピュータ（以下、パソコンという）又は単独でネットワークを介してサイトから前記リモコンコードを取得することができる装置の何れかであるリモコンシステムを提供する。
【００１０】
この構成によれば、インターネットなどのネットワークに接続することができる携帯電話機又はパソコンによって、電気機器のメーカごとのリモコンコードをダウンロードし、そのリモコンコードに対応したコマンドを、リモコンステーションへ送信することにより、リモコンステーションは、受信したコマンドによって、複数の電気機器の中から所望の電気機器を遠隔操作することができる。
【００１１】
請求項３記載の発明は、請求項１記載の発明において、端末機器がパソコンとそのパソコンを遠隔操作するＰＣリモコンとの組合せであるリモコンシステムを提供する。
【００１２】
この構成によれば、パソコンのデータを遠隔操作で送受信することができるＰＣリモコンを用いて、パソコンがダウンロードした電気機器のメーカごとのリモコンコードに対応したコマンドを、リモコンステーションへ送信することにより、リモコンステーションは、受信したコマンドによって、複数の電気機器の中から所望の電気機器を遠隔操作することができる。
【００１３】
請求項４記載の発明は、請求項２又は３記載の発明において、携帯電話機、パソコン、又はＰＣリモコンとリモコンステーションとの間の通信、及びパソコンとＰＣリモコンとの間の通信は電波無線通信によって行われ、リモコンステーションと電気機器との間の通信は、赤外線通信によって行われるリモコンシステムを提供する。
【００１４】
この構成によれば、携帯電話機とリモコンステーションとの間の通信、パソコンとリモコンステーションとの間の通信、ＰＣリモコンとリモコンステーションとの間の通信、及びパソコンとＰＣリモコンとの間の通信は、電波無線通信によって行われる。したがって、ある部屋で携帯電話機やパソコンがダウンロードしたリモコンコードに対応するコマンドを、電気機器の存在している別の部屋に設置されたリモコンステーションへ送信することができる。一方、リモコンステーションと電気機器との間の通信は、汎用されている赤外線通信によって行われるので、同じ部屋にある所望の電気機器を確実に遠隔操作することができる。
【００１５】
請求項５記載の発明は、請求項２又は３記載の発明において、携帯電話機、パソコン、又はＰＣリモコンとリモコンステーションとの間の通信、及びパソコンとＰＣリモコンとの間の通信は電波無線通信によって行われ、リモコンステーションと電気機器との間の通信はブルートゥースによって行われるリモコンシステムを提供する。
【００１６】
この構成によれば、携帯電話機とリモコンステーションとの間の通信、パソコンとリモコンステーションとの間の通信、ＰＣリモコンとリモコンステーションとの間の通信、及びパソコンとＰＣリモコンとの間の通信は、電波無線通信によって行われる。一方、リモコンステーションと電気機器との間の通信は、ブルートゥースによって行われる。
【００１７】
したがって、リモコンステーションと電気機器との間に障害物があっても、リモコンステーションから電気機器へは確実にコマンドが送信される。これにより、例えば、家屋内の複数の部屋に多くの家電製品が存在していても、家屋内の任意の箇所に設置された１個のリモコンステーションによって、家屋内の希望の家電製品を個別に遠隔操作することができる。
【００１８】
請求項６記載の発明は、遠隔操作の対象となる電気機器ごとのメーカのリモコンＩＤが記録されたリモコンコードを用いて、対応する電気機器を遠隔操作する電気機器の遠隔操作方法であって、端末機器がネットワークを介してサイトからリモコンコードを取得する手順と、端末機器が、リモコンコードに対応したコマンドを電波無線信号によってリモコンステーションへ送信する手順と、リモコンステーションが、コマンドを赤外線信号によって電気機器へ送信して所望の電気機器を遠隔操作する手順とを含む電気機器の遠隔操作方法を提供する。
【００１９】
この電気機器の遠隔操作方法によれば、端末機器が、インターネットなどのネットワークを介して、サイトからリモコンコードを取得し、そのリモコンコードに対応したコマンドを電波無線信号によってリモコンステーションへ送信すれば、リモコンステーションが、そのコマンドを赤外線信号によって、電気機器へ送信して所望の電気機器を遠隔操作することができる。
【発明の効果】
【００２０】
請求項１記載の発明によれば、端末機器が、ネットワークを介してメーカごとのリモコンコードを取得し、リモコンコードに対応したコマンドをリモコンステーションへ送信すれば、コマンドを電気機器へ送信して所望の電気機器の遠隔操作を行う。これによって、遠隔操作を行う電気機器ごとにリモコンコードを設定する必要がなくなり、複数種類の電気機器の遠隔操作に対応するユニバーサルリモコンを簡単に実現することができる。
【００２１】
また、請求項２記載の発明によれば、請求項１記載の発明の効果に加えて、携帯電話機やパソコンによって、電気機器のメーカごとのリモコンコードをインターネットなどからダウンロードすれば、そのリモコンコードに対応したコマンドによって複数の電気機器の中から所望の電気機器のみを遠隔操作することができる。これによって、例えば、インタネットなどに接続できない一般のテレビで、番組予約を簡単に行うことができる。
【００２２】
また、請求項３記載の発明によれば、請求項１記載の発明の効果に加えて次のような効果を呈することができる。例えば、パソコンやＰＣリモコンを用いて裏番組の情報提供を有料で依頼しておけば、テレビで所望の番組を見ているときに裏番組の見どころになった時点で、裏番組情報が即座に提供される。これによって、ユーザは所望する裏番組を見逃すことがなくなるので、情報提供の付加価値を一段と向上させることができる。
【００２３】
また、請求項４記載の発明によれば、携帯電話機とリモコンステーションとの間の通信、パソコンとリモコンステーションとの間の通信、ＰＣリモコンとリモコンステーションとの間の通信、及びパソコンとＰＣリモコンとの間の通信は、安価な電波無線通信によって行われているので、請求項２又は３記載の発明の効果に加えて、携帯電話機などをポケットや鞄の中に入れたままでも、インターネットからリモコンコードをダウンロードして、所望の電気機器を容易かつ低コストで遠隔操作することができる。
【００２４】
また、請求項５記載の発明によれば、リモコンステーションと電気機器との間の通信は、ブルートゥースによって行われるので、請求項２又は３記載の発明の効果に加えて、リモコンステーションと電気機器との間に障害物が存在していても、リモコンステーションは電気機器へ確実にコマンドを送信することができる。したがって、家屋内の複数の部屋に電気機器が存在していても、その家屋に設置された１個のリモコンステーションによって、家屋内の全ての部屋の電気機器を個別に遠隔操作することができる。
【００２５】
また、請求項６記載の発明によれば、携帯電話機がインターネットを介してサイトから電気機器ごとのリモコンコードをダウンロードするので、帰宅と同時にワンプッシュですべての家電品の操作を行うことが可能となる。
【発明を実施するための最良の形態】
【００２６】
本発明によるリモコンシステムの最良の形態は、携帯電話機又はパソコンが、インターネットを介してサイトから、電気機器のメーカごとのリモコンコードをダウンロードし、ダウンロードされたリモコンコードに対応するコマンドを、ＲＦ（電波無線信号）で共通のリモコンステーションへ送信する。そして、リモコンステーションが、受信したコマンドをＩＲ(赤外線信号)に変換して電気機器へ送信するように構成されている。これによって、コマンドに対応した電気機器、例えば、目的のテレビのみを遠隔操作することができる。
【００２７】
一部屋に１つしかないリモコンステーションが、インターネットに接続できる端末機器を利用してリモコンコードを自動取得することにより、その部屋内の全ての家電製品を一つのリモコンステーションによって遠隔操作でき、この場合、従来のごとき面倒なメーカ別のリモコン設定が不要となり、汎用性の高いリモコン操作システムを安価に構築できる。
【００２８】
本発明のリモコンシステムは、メーカごとのリモコンコードを、インターネットなどのネットワークを介してダウンロードし、そのリモコンコードに対応したコマンドをＲＦに変換して送信することができる携帯電話機と、携帯電話機からＲＦによって受信したコマンドをＩＲに変換して各種電気機器へ送信して各種電気機器を遠隔操作するリモコンステーションとを備える。
【００２９】
なお、リモコンステーションがＩＲによるコマンドによって、各種電気機器、例えば、テレビやステレオなどの家電製品を遠隔操作する場合は、一つの部屋ごとに１個のリモコンステーションを必要とするが、リモコンステーションが、ＩＲに替えてブルートゥースやＲＦによってコマンドを各種家電製品へ送信すれば、家電製品がそれぞれ別の部屋に設置されていても、１個のリモコンステーションで各部屋の家電製品を遠隔操作することができる。
【００３０】
つまり、リモコンステーションがブルートゥースによるコマンドによって、家電製品の遠隔操作を行えば、一つの家屋内に１個のリモコンステーションを設置することにより、家屋内に分離された各部屋に配置された対応家電製品を、それぞれ個別に遠隔操作することができる。
【００３１】
以下、図面を参照しながら、本発明によるリモコンシステムの具体的な実施例について詳細に説明する。なお、以下に述べる各実施例で用いる図面において、同一の構成要素は同一の符号を付し、かつ重複する説明は可能な限り省略する。
【実施例１】
【００３２】
図１は、本発明に係るリモコンシステムの一実施例の構成を示す概念図である。まず、図１に示すリモコンシステムの構成について説明する。図１において、本発明のリモコンシステムは、インターネットなどのネットワークを介して外部のサイトからメーカごとのリモコンコードをダウンロードすることができる携帯電話機１及び/又はパソコン２と、
パソコン２の操作をリモートで行うことができるＰＤＡ（Personal Digital Assistant）などのＰＣリモコン３と、携帯電話機１及び/又はパソコン２がダウンロードしたリモコ
ンコードに基づいてる家電製品に対し遠隔操作用コマンドを送信するリモコンステーション４と、リモコンステーション４によって遠隔操作される家電製品（テレビ５、エアコン６等）とを備える。
【００３３】
なお、携帯電話機１とリモコンステーション４との間の通信、パソコン２とリモコンステーション４との間の通信、ＰＣリモコン３とリモコンステーション４との間の通信、及びパソコン２とＰＣリモコン３との間の通信は、ＲＦによって行われる。また、リモコンステーション４と家電製品であるテレビ５及びエアコン６等と間の通信はＩＲによって行われる。
【００３４】
図１に示すリモコンシステムの構成のうち、携帯電話機１とパソコン２の両方が一緒に存在する必要はなく、インターネットに接続することのできる携帯電話機１、又はパソコン２の何れかが存在すればよい。また、パソコン２が設置されている場合は、ＰＣリモコン３は存在していても存在しなくてもよい。さらに、遠隔操作の対象機器としては、テレビ５及びエアコン６以外に、ステレオ、ビデオデッキ、扇風機など多くの各種家電製品が設置されていても構わない。
【００３５】
次に、フローチャートを用いてリモコンシステムの動作の流れを説明する。以下の実施例では、携帯電話機１がインターネットを介してリモコンコードを取得し（ダウンロードし）、リモコンステーション４の遠隔操作によって、テレビ５の電源をＯＮする場合の動作の流れを説明する。
【００３６】
図２は、テレビ電源をＯＮする場合の遠隔操作の流れを示す。まず、携帯電話機１は、インターネットより操作対象となる家電製品（テレビ５）のメーカのリモコンコードを取得する（ステップＳ１）。
【００３７】
次に、携帯電話機１によって所望の操作ボタン、ここでは、テレビ５の電源ＯＮの操作ボタン“０”を押す（ステップＳ２）。すると、携帯電話機１の無線通信手段からリモコンステーション４の無線通信手段へ、取得したリモコンコードに対応するコマンドがＲＦで送信され、リモコンステーション４は、受信したコマンドの中に含まれるテレビ電源ＯＮのコマンドを取得する（ステップＳ３）。
【００３８】
さらに、リモコンステーション４は、取得したコマンドを解読し（ステップＳ４）、自己の赤外線送信手段からテレビ５に対して、ＩＲによってテレビ電源ＯＮのコマンドを送信する（ステップＳ５）。これにより、該当するテレビ５の電源がＯＮされる（ステップＳ６）。
【００３９】
このような遠隔操作を行う場合、リモコンステーション４からテレビ５へ送信されるＩＲは無指向性となっている。このため、リモコンステーション４を部屋の中央に置いておけば、その部屋にある家電製品はどの方向にあっても、リモコンステーション４によって簡単に遠隔操作できる。
【００４０】
また、携帯電話機１からリモコンステーション４へ送信される信号はＲＦであるので、携帯電話機１を洋服のポケットの中などに入れたままでも、コマンドは確実に携帯電話機１からリモコンステーション４へ送信される。
【００４１】
なお、この実施例では、携帯電話機１の操作ボタンによってテレビ電源ＯＮの操作を行ったが、携帯電話機１の画面に表示されたアイコンによってテレビ電源ＯＮの操作を行うこともできる。また、テレビ電源ＯＮの操作ボタンを“０”とした場合、チャンネル１への切り替えボタンを“１”、チャンネル２への切り替えボタンを“２”などとして、各操作ボタンによってチャンネル切り替えなど所望の操作を行うこともできる。同様にして、それぞれの操作内容に対応するアイコンを画面に表示させ、これらのアイコンを家電製品の操作入力手段として、各種の遠隔操作を行うこともできる。
【００４２】
この実施例では、携帯電話機１を用いてインターネットを介して、サイトよりリモコンコードを取得したが、図１に示すように、パソコン２を用いてインターネットを介して、サイトよりリモコンコードを取得してもよい。
【００４３】
その場合、大別して２つの遠隔操作する方法がある。１つは、パソコン２が取得したリモコンコードを用いて、パソコン２から直接リモコンステーション４へＲＦを送信し、リモコンステーション４によってテレビ５やエアコン６等を遠隔操作する方法である。もう１つは、パソコン２が取得したリモコンコードを用いて、パソコン２からＰＣリモコン３を経由して、リモコンステーション４へＲＦを送信し、リモコンステーション４によってテレビ５やエアコン６等を遠隔操作する方法である。
【００４４】
つまり、図１のリモコンシステムにおいては、次に示す５通りの遠隔操作の方法がある。第１の遠隔操作の方法は、まず、携帯電話機１がインターネットからリモコンコードを取得する。そして、携帯電話機１が、取得したリモコンコードに対応するコマンドを用いて、リモコンステーション４へＲＦを送信する。さらに、リモコンステーション４からテレビ５やエアコン６へコマンドをＩＲで送信して、該当するテレビ５やエアコン６等を遠隔操作する。
【００４５】
第２の遠隔操作の方法は、まず、パソコン２がインターネットからリモコンコードを取得する。そして、パソコン２が、取得したリモコンコードに対応するコマンドを用いて、リモコンステーション４へＲＦを送信する。さらに、リモコンステーション４からテレビ５やエアコン６等へコマンドをＩＲで送信して、該当するテレビ５やエアコン６等を遠隔操作する。
【００４６】
第３の遠隔操作の方法は、まず、パソコン２がインターネットからリモコンコードを取得する。そして、パソコン２が、取得したリモコンコードを、ＲＦによってＰＣリモコン３へ送信する。さらに、ＰＣリモコン３が、リモコンコードに対応するコマンドを用いてリモコンステーション４へＲＦを送信し、リモコンステーション４からテレビ５やエアコン６等へコマンドをＩＲで送信して、該当するテレビ５やエアコン６等を遠隔操作する。
【００４７】
第４の遠隔操作の方法は、まず、ＰＣリモコン３によってパソコン２を遠隔操作し、パソコン２にリモコンコードを取得させる。そして、パソコン２が、取得したリモコンコードを、ＲＦによってＰＣリモコン３へ送信させる。さらに、ＰＣリモコン３がリモコンコードに対応するコマンドを用いて、リモコンステーション４へＲＦを送信し、リモコンステーション４からテレビ５やエアコン６等へコマンドをＩＲで送信して、該当するテレビ５やエアコン６等を遠隔操作する。
【００４８】
第５の遠隔操作の方法は、まず、ＰＣリモコン３によってパソコン２を遠隔操作し、パソコン２にリモコンコードを取得させる。そして、パソコン２が、取得したリモコンコードに対応するコマンドを用いてリモコンステーション４へＲＦを送信し、さらに、リモコンステーション４からテレビ５やエアコン６等へコマンドをＩＲで送信して、該当するテレビ５やエアコン６等を遠隔操作する。
【実施例２】
【００４９】
実施例２は、携帯電話機１でテレビ番組表を取得して、見たい番組を登録しておくと、所定時間経過した時点で、自動的にチャンネル指定コマンドが送信されて、所望の番組が見られるように構成したものである。なお、実施例２のリモコンシステムの構成は、図１と同じである。
【００５０】
図３は、図１に示すリモコンシステムにおいて、遠隔操作によってテレビ番組を予約してチャンネル切り替えを行う動作の流れを示す。図３において、まず、携帯電話機１はインターネットを介して各放送局のテレビ番組表を取得する（ステップＳ１１）。次に、携帯電話機１によって見たい番組を登録しておく（ステップＳ１２）。
【００５１】
これによって、携帯電話機１は、見たい番組の放送開始時間に達したか否かを判断し（ステップＳ１３）、放送開始時間に達していなければ（ステップＳ１３でＮｏ）、その時間に到達するまで待つ。
【００５２】
一方、見たい番組の放送開始時間に達したならば（ステップＳ１３でＹｅｓ）、携帯電話機１はリモコンステーション４に対して、チャンネルを指定するコマンド（以下、チャンネル指定コマンドという）をＲＦで送信する（ステップＳ１４）。
【００５３】
これによって、リモコンステーション４はチャンネル指定コマンドを受信し（ステップＳ１５）、このチャンネル指定コマンドをＩＲでテレビ５へ送信する（ステップＳ１６）。すると、テレビ５は、電源をＯＮすると共に、チャンネル指定コマンドによって所望のチャンネルに切り替えられる（ステップＳ１７）。
【００５４】
この実施例では、インターネットに接続できる携帯電話機１を用いた場合について説明したが、インターネットに接続できるパソコン２を用いても、遠隔操作で所望のチャンネルに切り替えることができる。また、ＰＣリモコン３を用いてパソコン２を遠隔操作しながら、所望のチャンネルに切り替えることもできる。
【実施例３】
【００５５】
実施例３は、図１のリモコンシステムにおいて、テレビ５で所望の番組を見ているときに裏番組の見どころになった場合、その裏番組情報をタイムリーに取得して、自動的に裏番組のチャンネルに切り替えるように構成したものである。
【００５６】
図４は、図１のリモコンシステムにおいて、裏番組の見どころになったときに、自動的に裏番組のチャンネルに切り替える遠隔操作の流れを示す。図４において、まず、携帯電話機１はインターネットを介して、各放送局のテレビ番組表を取得する（ステップＳ２１）。
【００５７】
さらに、携帯電話機１によって所望のジャンルの裏番組情報、例えば、野球番組情報の配信登録を行う（ステップＳ２２）。このような裏番組情報の配信は、例えば、あらかじめ有料で配信契約をした場合に、情報発信サービス会社から自動的に裏番組情報が提供されるようにすることができる。
【００５８】
裏番組情報の配信契約により、携帯電話機１は、希望した裏番組の見どころになったか否かを判断し（ステップＳ２３）、希望した裏番組の見どころになっていなければ（ステップＳ２３でＮｏ）、その裏番組の見どころになるまで待つ。
【００５９】
一方、希望した裏番組の見どころになった場合（ステップＳ２３でＹｅｓ）、携帯電話機１は、情報発信サービス会社からの裏番組情報の自動配信に基づいて、該当する裏番組のチャンネル指定コマンドを取得し（ステップＳ２４）、リモコンステーション４に対して裏番組のチャンネル指定コマンドをＲＦで送信する（ステップＳ２５）。
【００６０】
これによって、リモコンステーション４は、裏番組のチャンネル指定コマンドを受信し（ステップＳ２６）、このチャンネル指定コマンドをＩＲでテレビ５へ送信する（ステップＳ２７）。すると、テレビ５は、受信したチャンネル指定コマンドによって、裏番組のチャンネルに切り替える（ステップＳ２８）。これにより、例えば、ニュース番組を見ているときに、裏番組で実況している野球中継で、有名選手がバッターボックスに立った時又はその直前に、チャンネルを自動的に裏番組へ切り替えることができる。
【００６１】
この実施例ではインターネットに接続できる携帯電話機１を用いた場合について説明したが、インターネットに接続できるパソコン２を用いても、遠隔操作で所望の裏番組のチャンネルに切り替えることができる。また、ＰＣリモコン３を用いてパソコン２を遠隔操作しながら、所望の裏番組のチャンネルに切り替えることもできる。
【００６２】
なお、本発明は、本発明の精神を逸脱しない限り種々の改変を為すことができ、そして、本発明が該改変されたものに及ぶことは当然である。
【図面の簡単な説明】
【００６３】
【図１】本発明に係るリモコンシステムの一実施例の構成を示す概念図。
【図２】図１に示すリモコンシステムにおいて、テレビ電源をＯＮする場合の遠隔操作の流れを示すフローチャート。
【図３】図１に示すリモコンシステムにおいて、遠隔操作によってテレビ番組を予約してチャンネル切り替えを行う動作の流れを示すフローチャート。
【図４】図１に示すリモコンシステムにおいて、裏番組の見どころになったときに裏番組のチャンネルに切り替える遠隔操作の流れを示すフローチャート。
【符号の説明】
【００６４】
１    携帯電話機
２    パーソナルコンピュータ（パソコン）
３    ＰＣリモコン
４    リモコンステーション
５    テレビジョン（テレビ）
６    エアコンディショナ（エアコン）
【図１】
2007116484.tif 000003
【図２】
2007116484.tif 000004
【図３】
2007116484.tif 000005
【図４】
2007116484.tif 000006